(57)【要約】【課題】ストリングの張り方によって、フレームの変形を抑止しつつ、使用時におけるシャトルのコントロ―ルに優れた、バドミントンラケットの製造方法を提供すること。【解決手段】  縦ストリングを右端の略２０％の右端部分、左端の略２０％の左端部分、その他の縦中央部分とに分け、横ストリングを上端の略２０％の上端部分、下端の略２５％の下端部分、その他の横中央部分とに分け、縦中央部分の縦ストリング１１を張る第１の工程と、下端部分の横ストリング、右端部分の縦ストリング、上端部分の横ストリング及び左端部分の縦ストリング（周辺ストリング１２）をフレームを回転する順に張る第２の工程と、横中央部分の縦ストリング１３を張る第３の工程とを含むバドミントンラケッの製造方法を提供する。【選択図】図２
2020168320.tif 000002
【特許請求の範囲】
【請求項１】
ストリングを張ったバドミントンラケットの製造方法であって、
縦ストリングを、右端の略２０％の右端部分、左端の略２０％の左端部分、前記右端部分及び左端部分を除く縦中央部分とに分け、
横ストリングを、上端の略２０％の上端部分、下端の略２５％の下端部分、前記上端部分及び下端部分を除く横中央部分とに分け、
前記縦中央部分の縦ストリングを張る第１の工程と、
前記下端部分の横ストリング、前記右端部分の縦ストリング、前記上端部分の横ストリング及び前記左端部分の縦ストリングを張る第２の工程と、
前記横中央部分の縦ストリングを張る第３の工程とを含み、
前記第２の工程においては、フレームを回転する順にストリングを張る工程を含む
ことを特徴とする、バドミントンラケットの製造方法。
【請求項２】
前記第１の工程においては、ストリングを左から右の順に又は右から左の順に張り、
前記第３の工程においては、ストリングを下から上の順に張ることを特徴とする、請求項１に記載のバドミントンラケットの製造方法。
【請求項３】
１本のみのストリングが、前記第１の工程、前記第２の工程、前記第３の工程の全体にわたって使用されることを特徴とする、請求項１又は２に記載のバドミントンラケットの製造方法。
【請求項４】
前記１本のみのストリングの経路を、（１）グリップの１の起点孔から該孔に対向する終了孔に向かう直線部分と、（２）前記終了孔から次の直線部分の前記起点孔に向かう沿グリップ部分と、の繰り返しとし、
前記沿グリップ部分において、前記終了孔と次の直線部分の前記起点孔とは前記グリップの周縁に沿って隣接する、又は、間に１のみの孔を有することを特徴とする、請求項３に記載のバドミントンラケットの製造方法。
【請求項５】
前記１本のストリングを前記経路に従って前記グリップの孔に通す事前セット工程と、
前記事前セット工程によって前記グリップの孔に通された前記１本のストリングの複数の前記の直線部分に張力を与えて張る張り上げ工程とを含み、
前記事前セット工程は、少なくとも前記縦中央部分の縦ストリング、前記下端部分の横ストリング、前記右端部分の縦ストリング、前記上端部分の横ストリング及び前記左端部分の縦ストリングを前記グリップの孔に通すことを特徴とする、請求項４に記載のバドミントンラケットの製造方法 。
【請求項６】
前記張り上げ工程は、
前記１本のストリングを前記終了孔の方向に引いて張力を与える第１張り上げ工程と、
前記第１張り上げ工程における張力を弛緩させ、再度張力を与えた状態で前記１本のストリングをクランプによって固定する第２張り上げ工程とを含むことを特徴とする、請求項５に記載のバドミントンラケットの製造方法。
【発明の詳細な説明】
【技術分野】
【０００１】
本発明は、バドミントンラケットの製造方法に関する。
【背景技術】
【０００２】
バドミントン、テニス等に使われるラケットにおいて、シャトル又はボールを当てるストリング（「ガット」とも言う。）の張り方が重要である。ストリングの反発によってシャトル又はボールを打つので、シャトル又はボールに対するストリングの応力を調整するためである。
【０００３】
バドミントンでは、打つ対象のシャトルが軽量であり、大きな慣性力を有さないため、ストリングの張り方によるシャトルの軌道への影響が大きい。ストリングの張り方が極めて重要となる。
【０００４】
ストリングの張り方としては、縦方向のストリングと横方向のストリングを別々に張る「２本張り」（例えば非特許文献１参照）と、１本のみのストリングを張る「１本張り」とが知られている。フレームに極端な圧力がかからずフレームの変形を防止できる点で、１本張りのほうが優れていると言われている。
【０００５】
１本張りとしては、「アラウンドザワールド」と呼ばれる張り方（例えば非特許文献２参照）が知られている。しかし、ストリングをグリップに沿って長く張る（グリップで相当程度に離間した２つの孔の間を結ぶ）ことがあり、バドミントンのラケットでは、使用時にストリングが伸びてしまい、シャトルの軌道が必ずしも正しくない。
【先行技術文献】
【非特許文献】
【０００６】
【非特許文献１】普通の２本張りの張り方（http://candypark.web.fc2.com/twopieces_stringing.html）
【非特許文献２】アラウンドザワールドの張り方（http://candypark.web.fc2.com/atw_stringing_s.html）
【発明の開示】
【発明が解決しようとする課題】
【０００７】
本発明は、ストリングの張り方によって、フレームの変形を抑止しつつ、使用時におけるシャトルのコントロ―ルに優れた、バドミントンラケットの製造方法を提供することを課題とする。
【課題を解決するための手段】
【０００８】
本発明のバドミントンラケットの製造方法は、
ストリングを張ったバドミントンラケットの製造方法であって、
縦ストリングを、右端の略２０％の右端部分、左端の略２０％の左端部分、前記右端部分及び左端部分を除く縦中央部分とに分け、
横ストリングを、上端の略２０％の上端部分、下端の略２５％の下端部分、前記上端部分及び下端部分を除く横中央部分とに分け、
前記縦中央部分の縦ストリングを張る第１の工程と、
前記下端部分の横ストリング、前記右端部分の縦ストリング、前記上端部分の横ストリング及び前記左端部分の縦ストリングを張る第２の工程と、
前記横中央部分の縦ストリングを張る第３の工程とを含み、
前記第２の工程においては、フレームを回転する順にストリングを張る工程を含む
ことを特徴とする。
【０００９】
この特徴によれば、フレームに極端な圧力がかからずフレームの変形を防止できる。ここで、「略２０％」「略２５％」は、ストリングの総数に対する、右端部分、左端部分、上端部分、下端部分のストリングの数をいう。ストリングの総数をｎとするとき、その２０％、２５％である０．２ｎ、０．２５ｎは必ずしも整数ではない。その場合には、端数を切り上げた整数、端数を切り捨てた整数のいずれでもよい。
【００１０】
本発明のバドミントンラケットの製造方法は、
前記第１の工程においては、ストリングを左から右の順に又は右から左の順に張り、
前記第３の工程においては、ストリングを下から上の順に張ることを特徴とする。
【００１１】
この特徴によれば、ストリングを張る具体的な手順が与えられる。
【００１２】
本発明のバドミントンラケットの製造方法は、
１本のみのストリングが、前記第１の工程、前記第２の工程、前記第３の工程の全体にわたって使用されることを特徴とする。
【００１３】
この特徴によれば、「１本張り」によるものとなる。
【００１４】
本発明のバドミントンラケットの製造方法は、
前記１本のみのストリングの経路を、（１）グリップの１の起点孔から該孔に対向する終了孔に向かう直線部分と、（２）前記終了孔から  次の直線部分の前記起点孔に向かう沿グリップ部分と、の繰り返しとし、
前記沿グリップ部分において、前記終了孔と次の直線部分の前記起点孔とは前記グリップの周縁に沿って隣接する、又は、間に１のみの孔を有することを特徴とする。
【００１５】
この特徴によれば、シャトルに当たる部分以外のストリングが短くなり、使用時にストリングが伸びてしまうことが小さくなる。
【００１６】
本発明のバドミントンラケットの製造方法は、
前記１本のストリングを前記経路に従って前記グリップの孔に通す事前セット工程と、
前記事前セット工程によって前記グリップの孔に通された前記１本のストリングの複数の前記の直線部分に張力を与えて張る張り上げ工程とを含み、
前記事前セット工程は、少なくとも前記縦中央部分の縦ストリング、前記下端部分の横ストリング、前記右端部分の縦ストリング、前記上端部分の横ストリング及び前記左端部分の縦ストリングを前記グリップの孔に通すことを特徴とする。
【００１７】
この特徴によれば、事前セット工程によって予めストリングがグリップの孔に通されているので、ストリングを張る工程におけるストリングの緩みが抑止される。
【００１８】
本発明のバドミントンラケットの製造方法は、
前記張り上げ工程は、
前記１本のストリングを前記終了孔の方向に引いて張力を与える第１張り上げ工程と、
前記第１張り上げ工程における張力を弛緩させ、再度張力を与えた状態で前記１本のストリングをクランプによって固定する第２張り上げ工程とを含むことを特徴とする。
【００１９】
この特徴によれば、第１張り上げ工程によって張られたことで、第２張り上げ工程後のストリングが安定し、使用時にストリングが伸びてしまうことがさらに小さくなる。
【発明の効果】
【００２０】
本発明によれば、ストリングの張り方によって、フレームの変形を抑止しつつ、使用時におけるシャトルのコントロ―ルに優れた、バドミントンラケットの製造方法が提供される。
【図面の簡単な説明】
【００２１】
【図１】図１は、ストリングを張る状態を示す図である。
【図２】図２は、ストリングの区分を示す図である。
【図３】図３は、第１の工程終了時の状態を示す図である。
【図４】図４は、第２の工程終了時の状態を示す図である。
【図５】図５は、第３の工程終了時の状態を示す図である。
【図６】図６は、直線部分の張り方を示す図である。
【発明を実施するための形態】
【００２２】
以下、本発明の実施例を説明する。
【００２３】
図１は、ストリングを張る状態を示す図である。ストリング１を付されたフレーム２が把持され、ストリング１の一部がストリングマシン３によって張られる。張られたストリング１は、クランプ４によって固定されている。
【００２４】
ストリング１は、全体で１本である。１本となる構造については後述する。
【００２５】
図２は、ストリングの区分を示す図である。以下、縦ストリング、横ストリング共に２２本であるとして説明するが、他の本数（縦ストリングと横ストリングの本数が相違する場合を含む）であっても同様である。
【００２６】
縦ストリングは、Ａで示す区間にある中央部分の縦ストリング１１（実線で示す）、Ｂ（Ｌ）で示す区間にある左側の周辺ストリング１２（破線で示す）、Ｂ（Ｒ）で示す区間にある右側の周辺ストリング１２（破線で示す）、に区分される。ここで、左側の周辺ストリング及び右側の周辺ストリングは、それぞれ５本である。２２×０．２＝４．８であるが、切り上げて５とした。中央部分の縦ストリング１１は１２本（２２−５−５）である。
【００２７】
横ストリングは、Ｃで示す区間にある中央部分の横ストリング１３（実線で示す）、Ｂ（Ｕ）で示す区間にある上側の周辺ストリング１２（破線で示す）、Ｂ（Ｌ）で示す区間にある下側の周辺ストリング１２（破線で示す）、に区分される。ここで、上側の周辺ストリングは、５本である。２２×０．２＝４．８であるが、切り上げて５とした。下側の周辺ストリングは、６本である。２２×０．２５＝５．５であるが、切り上げて６とした。中央部分の横ストリング１３は１１本（２２−５−６）である。
【００２８】
ここで、左側の周辺ストリング１２、右側の周辺ストリング１２、上側の周辺ストリング１２、及び下側の周辺ストリング１２の数については、左側の周辺ストリング１２、右側の周辺ストリング１２及び上側の周辺ストリング１２の数が等しく、下側の周辺ストリング１２の数につがそれと等しいかまたはそれよりも１だけ大きいことが好ましい。上述は、そのとおりである。縦ストリングの総数、横ストリングの総数の２０％、２５％の本数を求める際の端数の、切り上げ、切り捨てによって、そのようにすることが可能である。（縦ストリングの総数と横ストリングの総数が５以上相違する場合、又は横ストリングの総数が４０以上の場合には不可能であるが、実際のラケットにおいてそうなることはない。）
【００２９】
ここで、中央部分の縦ストリング１１、周辺ストリング１２（左側の周辺ストリング、右側の周辺ストリング、上側の周辺ストリング、下側の周辺ストリングの全て）、中央部分の横ストリング１３の順に張る。
【００３０】
図３は、第１の工程終了時の状態を示す図である。中央部分の縦ストリング１１を張る第１の工程を、孔２１ａを起点孔として対向する終了孔（孔２１aの真下の孔）の直線状に張ることから始め、終了孔に隣接する（図上右側の）孔を次の起点孔とする形で、上下に往復させて張るものとすることができ、孔２１ｂで終了させることができる。
【００３１】
図４は、第２の工程終了時の状態を示す図である。周辺ストリング１２を張る第２の工程を、以下の手順によるものとすることができる。図面右下方の起点孔から対向する終了孔（起点孔の真左の孔）の直線状に下側の周辺ストリングを張り、終了孔に隣接する（フレーム２において時計回りの）孔を次の起点孔とする形で、左側の周辺ストリング、上側の周辺ストリング、右側の周辺ストリングの順に一周させて張ることを繰り返す。最初に孔２１ｂに隣接する孔２１ｃを起点孔とし、以下、起点孔を移動させて、孔２１ｄで終了させることができる。
【００３２】
これは、孔２１ｃが孔２１ｂよりも上方にある（孔２１ｂよりも下方の孔を利用して下側の周辺ストリングを張ることがない）ことによって可能となる。すなわち、中央部分の縦ストリング１１が左右に広がり過ぎないことによって可能となる。右側の周辺ストリング及び左側の周辺ストリングの数を、縦ストリングの総数の略２０％とすることで、これが実現されている。
【００３３】
孔２１ｃと孔２１ｄとの位置関係でわかるように、下側の周辺ストリング、左側の周辺ストリング、上側の周辺ストリング、右側の周辺ストリング、の順に５周し、さらに下側の周辺ストリングを張って、下側の周辺ストリングが６本であり左側の周辺ストリング、上側の周辺ストリング、右側の周辺ストリングが５本であることに対応している。
【００３４】
なお、一周して戻る孔と、次の起点孔が隣接せずに間に１の孔を有する場合（戻る孔から２つ移動した孔が次の起点孔となる場合）がある 。
【００３５】
図５は、第３の工程終了時の状態を示す図である。中央部分の横ストリング１３を張る第３の工程を、孔２１ｄに隣接する孔２１ｅを起点孔として対向する終了孔（孔２１eの真右の孔）の直線状に張ることから始め、終了孔に隣接する（図上上側の）孔を次の起点孔とする形で、左右に往復させて張るものとすることができ、孔２１ｆで終了させることができる。
【００３６】
以上の張る順番にストリングを配すれば、１本のストリングによって張ることができる。また、ストリングがグリップに沿う沿グリップ部分はグリップの周縁に沿って隣接する、又は、間に１のみの孔を有する部分となり、シャトルに当たる部分以外のストリングが短くなり、使用時にストリングが伸びてしまうことが小さくなる。すなわち、使用時におけるシャトルのコントロ―ルに優れたものとなる。
【００３７】
また、第２の工程によってグリップの周縁にほぼ均等にストリングが張られるので、ストリングを張る際にフレームが変形してしまうことがない。
【００３８】
以上、ストリングを張る順番について説明した。以下、ストリングを張る際の処理の詳細を説明する。
【００３９】
実際にストリングを張るに先立って、１本のストリング１を張られる箇所の孔に通す（事前セット工程）。その後、上述の順番でストリング１を張っていく（張り上げ工程）。なお、事前セット工程においては、全ての孔に通さずに、中央部分の縦ストリング１１及び周辺ストリング１２のみを孔に通すこととしてもよい。
【００４０】
図６は、直線部分の張り方を示す図である。起点孔から終点孔に至る１直線状のストリングを張る手順を示す。まず、図６（Ａ）に示すように、ストリング１をストリングマシン３に係止する。図において直線状に張られたストリング１と緩んだストリング１とがあるが、事前セット工程によってストリング１は孔に通されており、２つの孔の間のストリング１が見えている。張ろうとしている箇所の孔から直線状に張られたストリング１が伸びてストリングマシン３に係止され、ストリングマシン３から緩んだストリング１がもう１つの孔（未だ張られていない孔）に伸びている。
【００４１】
ストリングマシン３を操作し、直線状に張られたストリング１に張力を加える。これにより、直線状に張られたストリング１の先のフレーム２内のストリングの位置及び張力を受けた状態におけるフレーム２の位置（張力に対応する形状）となる。
【００４２】
その後、一度張力を緩め、もう一度張力を加える。一度張力を加えられてストリング及びフレームの概略位置が定まったものに再度張力を加えるので、使用時に安定した位置となる。
【００４３】
この状態で、図６（Ｂ）に示すように下側クランプ４１でストリング１を固定し、図６（Ｃ）に示すように（上側）クランプ４でもストリング１を固定する。
【００４４】
その後、次の直線部分（緩んだストリング１がフレーム２内に伸びた部分）を張るが、クランプ４（及び下側クランプ４１）によって固定されている既張のストリング１は影響されない。
【００４５】
以上詳細に説明したように、本実施例のストリングの張り方によって、使用時においてシャトルをプレイヤの意図に合った軌道とすることのできるバドミントンラケットが製造される。本実施例の方法で製造されたバドミントンラケットを上級のプレイヤに試用させたところ、好評であった。
【産業上の利用可能性】
【００４６】
ストリングの張り方によって、フレームの変形を抑止しつつ、使用時におけるシャトルのコントロ―ルに優れた、バドミントンラケットの製造方法である。多くのストリング張りサービス事業者による利用が考えられる。
【符号の説明】
【００４７】
１        ストリング
１１      中央部分の縦ストリング
１２      周辺ストリング
１３      中央部分の横ストリング
２        フレーム
２１      孔
３        ストリングマシン
４        クランプ
【図１】
2020168320.tif 000003
【図２】
2020168320.tif 000004
【図３】
2020168320.tif 000005
【図４】
2020168320.tif 000006
【図５】
2020168320.tif 000007
【図６】
2020168320.tif 000008